(57)【要約】【課題】本発明は、変形初期から変形後期まで筒状部材内の木材が同じように潰れるようにして衝撃吸収機構の衝撃吸収量を大きくすることを目的とする。【解決手段】本発明に係る衝撃吸収機構は、多角形状に形成されて軸方向からの衝撃荷重を受けて軸方向に変形可能に構成された筒状部材２０と、年輪の軸心方向が筒状部材２０の軸方向に沿うように、その筒状部材に収納された木材１２と、筒状部材２０と木材１２との軸方向における一端面が当接して、衝撃荷重を受けられる構成の荷重受け面３２とを備える衝撃吸収機構であって、軸方向からの衝撃荷重を受けて筒状部材２０と木材１２とが軸方向に潰れる際、筒状部材２０は、荷重受け面３２に当接する一端面における多角形の頂点部分から稜線２３ｒに沿って裂けるように構成されている。【選択図】図８
2015155704.tif 000002
【特許請求の範囲】
【請求項１】
軸心に対して直角な断面が多角形状に形成されて、軸方向からの衝撃荷重を受けて軸方向に変形可能に構成された筒状部材と、年輪の軸心方向が前記筒状部材の軸方向に沿うように、その筒状部材に収納された木材と、前記筒状部材と木材との軸方向における一端面が当接しており、前記衝撃荷重を受けられるように構成された荷重受け面とを備える衝撃吸収機構であって、
軸方向からの衝撃荷重を受けて前記筒状部材と木材とが軸方向に潰れる際、前記筒状部材は、前記荷重受け面に当接する一端面における多角形の頂点部分から前記多角形の稜線に沿って裂けるように構成されていることを特徴とする衝撃吸収機構。
【請求項２】
請求項１に記載された衝撃吸収機構であって、
前記筒状部材には、前記一端面における多角形の頂点部分からその多角形の稜線に沿って脆弱部が設けられていることを特徴とする衝撃吸収機構。
【請求項３】
請求項１、又は請求項２のいずれかに記載された衝撃吸収機構であって、
前記木材の外周面が全周に亘って前記筒状部材の内周面に接触するように、その木材が前記筒状部材に収納されており、
前記筒状部材と木材とが軸方向に潰れる際、前記筒状部材が前記多角形の稜線に沿って裂けることで、分割された前記筒状部材の壁部が潰れた木材に押されて半径方向外側に拡開するように構成されていることを特徴とする衝撃吸収機構。
【発明の詳細な説明】
【技術分野】
【０００１】
本発明は、車両衝突時等の衝撃荷重を受けてその衝撃荷重を吸収できるように構成された衝撃吸収機構に関する。
【背景技術】
【０００２】
車両衝突時等の衝撃荷重を受けてその衝撃荷重を吸収できるように構成された衝撃吸収部材に関する技術が特許文献１に記載されている。
特許文献１に記載された衝撃吸収部材１００は、自動車のクラッシュボックス等に使用される衝撃吸収部材であって、図１３に示すように、角筒状の金属製中空部材１０２と、その中空部材１０２内に充填された木片１０５とから構成されている。
そして、自動車の衝突時における衝撃荷重Ｆが、図１４に示すように、衝撃吸収部材１００に対して軸方向から加わるように、衝撃吸収部材１００は前記クラッシュボックス等に取付けられている。
【先行技術文献】
【特許文献】
【０００３】
【特許文献１】特開２００１−１８２７６９号公報
【発明の概要】
【発明が解決しようとする課題】
【０００４】
上記衝撃吸収部材１００に対して衝撃荷重Ｆが軸方向から加わると、図１４に示すように、中空部材１０２と木片１０５とは軸方向に潰れることでその衝撃荷重Ｆを吸収する。
しかし、中空部材１０２と木片１０５とが軸方向に潰れると、潰れた木片１０５が中空部材１０２内に詰まるため、詰まった部分の木片１０５の密度が高くなり、前記木片１０５が潰れ難くなる。即ち、変形初期には良好に潰れた木片１０５が変形中期、変形後期には潰れ難くなり、クラッシュストロークが短くなる。このため、衝撃荷重Ｆに対する衝撃吸収量が低下する。
【０００５】
本発明は、上記問題点を解決するためになされたものであり、本発明が解決しようとする課題は、変形初期から変形後期まで筒状部材内の木材がほぼ同じように潰れるようにしてクラッシュストロークを伸ばし、衝撃吸収機構の衝撃吸収量を大きくすることである。
【課題を解決するための手段】
【０００６】
上記した課題は、各請求項の発明によって解決される。
請求項１の発明は、軸心に対して直角な断面が多角形状に形成されて、軸方向からの衝撃荷重を受けて軸方向に変形可能に構成された筒状部材と、年輪の軸心方向が前記筒状部材の軸方向に沿うように、その筒状部材に収納された木材と、前記筒状部材と木材との軸方向における一端面が当接しており、前記衝撃荷重を受けられるように構成された荷重受け面とを備える衝撃吸収機構であって、軸方向からの衝撃荷重を受けて前記筒状部材と前記木材とが軸方向に潰れる際、前記筒状部材は、前記荷重受け面に当接する一端面における多角形の頂点部分から前記多角形の稜線に沿って裂けるように構成されていることを特徴とする。
【０００７】
本発明によると、筒状部材は、衝撃荷重により荷重受け面に当接する一端面の多角形の頂点部分から多角形の稜線に沿って裂けるようになる。また、筒状部材の内側で衝撃荷重により潰れた木材は、荷重受け面に沿って半径方向外側に移動しようとする。このため、裂けることで分割された筒状部材の複数の壁部は潰れた木材に押されて半径方向外側に拡開するようになる。したがって、木材の潰れが進行すると、潰れた木材は荷重受け面に沿って筒状部材の半径方向に外側にはみ出るようになる。この結果、潰れた木材が筒状部材内に詰まることがなくなり、衝撃荷重を受けている途中で筒状部材内の木材の密度が上昇し難くなる。したがって、木材の変形初期と変形中期、変形後期とで前記木材がほぼ同じように潰れるようになる。この結果、従来と比較して、同じ長さ寸法の木材で潰れ領域が広くなり、衝撃吸収量を大きくできる。
【０００８】
請求項２の発明によると、筒状部材には、一端面における多角形の頂点部分からその多角形の稜線に沿って脆弱部が設けられていることを特徴とする。
このように、脆弱部を設けることで、筒状部材が多角形の稜線に沿って裂け易くなるため、筒状部材を裂くための機構が簡単でさほどコストアップにならない。
請求項３の発明によると、木材の外周面が全周に亘って筒状部材の内周面に接触するように、その木材が前記筒状部材に収納されており、前記筒状部材と木材とが軸方向に潰れる際、前記筒状部材が前記多角形の稜線に沿って裂けることで、分割された前記筒状部材の壁部が潰れた木材に押されて半径方向外側に拡開するように構成されていることを特徴とする。
このように、分割された筒状部材の壁部が潰れた木材に押されて半径方向外側に拡開するため、木材と筒状部材とが倒れ難くなり、衝撃荷重を確実に軸方向から受けられるようになる。
【発明の効果】
【０００９】
本発明によると、変形初期から変形後期まで筒状部材内の木材がほぼ同じように潰れるようになり、クラッシュストロークが長くなることで、衝撃吸収機構の衝撃吸収量が大きくなる。
【図面の簡単な説明】
【００１０】
【図１】本発明の実施形態１に係る衝撃吸収機構を備える車両前部の模式平面図である。
【図２】本発明の実施形態１に係る衝撃吸収機構を表す平断面図である。
【図３】前記衝撃吸収機構を構成する筒状部材と木材との斜視図である。
【図４】衝撃荷重によって筒状部材と木材とが潰れる前の様子を表す斜視図である。
【図５】衝撃荷重によって筒状部材と木材とが潰れる様子を表す斜視図である。
【図６】衝撃荷重によって筒状部材と木材とが潰れる様子を表す斜視図である。
【図７】衝撃荷重によって筒状部材と木材とが潰れる様子を表す斜視図である。
【図８】衝撃荷重によって筒状部材と木材とが潰れる様子を表す斜視図である。
【図９】前記衝撃吸収機構を構成する筒状部材と木材との模式断面図である。
【図１０】衝撃荷重によって筒状部材と木材とが潰れる様子を表す模式断面図である。
【図１１】衝撃荷重によって筒状部材と木材とが潰れる様子を表す模式断面図である。
【図１２】本実施形態に係る衝撃吸収機構に加わる衝撃荷重と筒状部材及び木材の潰れ量（ストローク）との関係を表すグラフ（Ａ図）、従来の衝撃吸収部材に加わる衝撃荷重と筒状部材及び木材の潰れ量（ストローク）との関係を表すグラフ（Ｂ図）である。
【図１３】従来の衝撃吸収部材の模式断面図である。
【図１４】従来の衝撃吸収部材が潰れる様子を表す模式断面図である。
【発明を実施するための形態】
【００１１】
［実施形態１］
以下、図１から図１２に基づいて本発明の実施形態１に係る衝撃吸収機構について説明する。
ここで、図中に示す前後、及び左右は、衝撃吸収機構が取付けられる車両の前後、及び左右に対応している。
【００１２】
＜衝撃吸収機構１０の取付け部分概要について＞
本実施形態に係る衝撃吸収機構１０は、車両衝突時の衝撃荷重Ｆを受けてその衝撃荷重Ｆを吸収する機構であり、図１に示すように、フロントバンパ（図示省略）のバンパーリインフォース３と車両２の左右のサイドメンバ５との間に配置されるクラッシュボックスの部分に取付けられている。
【００１３】
＜衝撃吸収機構１０の構成について＞
衝撃吸収機構１０は、図２、図３に示すように、筒状部材２０と、その筒状部材２０に収納される木材１２と、サイドメンバ５の先端に設けられており、木材１２と筒状部材２０とを介して衝撃荷重Ｆを受ける荷重受け部３０とから構成されている。
筒状部材２０は、例えば、アルミ合金を使用した押出成形品であり、図３に示すように、軸心に対して直角な断面が正六角形状に形成されている。さらに、筒状部材２０の基端部側（後端側）には、その筒状部材２０の端面における六角形の頂点部分からその六角形の稜線２３ｒに沿って切り込み２３が形成されている。
ここで、筒状部材２０の軸方向における長さ寸法は約70mm、幅寸法（六角形の外接円の直径寸法）は約28mm、肉厚寸法は約0.8mm程度に設定されている。また、切り込み２３の長さ寸法は約5mm、幅寸法は約1.5mm程度に設定されている。ここで、切り込み２３の長さ寸法は、筒状部材２０の軸方向における長さ寸法の3〜20％の間に設定するのが好ましい。
【００１４】
衝撃吸収機構１０を構成する木材１２は、図２、図３に示すように、筒状部材２０の軸心に対して直角な断面形状（横断面形状）と等しい横断面形状の六角柱形に形成されており、その筒状部材２０の軸方向の長さ寸法とほぼ等しい長さ寸法（約70mm）に設定されている。木材１２は、年輪１２ｋの軸心方向が長手方向（軸方向）に延びるように六角柱形に成形されている。このため、木材１２を筒状部材２０に収納した状態で、その木材１２の年輪１２ｋの軸心方向が筒状部材２０の軸方向とほぼ一致するようになる。即ち、前記木材１２は年輪１２ｋの軸心方向が筒状部材２０の軸方向に沿うように、その筒状部材２０に収納される。このため、木材１２の軸心方向の強度が高くなり、その木材によって大きな衝撃荷重Ｆを受けられるようになる。
前記木材１２としては、例えば、杉材が好適に使用される。
ここで、木材１２の幅寸法（六角形の外接円の直径寸法）は、木材１２の外周面と筒状部材２０の内周面間のクリアランスが約0.25mm程度になる値（約28mm）に設定されている。
【００１５】
衝撃吸収機構１０を構成する荷重受け部３０は、肉厚寸法が大きな平板状部材であり、図２に示すように、前面側が平坦な荷重受け面３２となっている。そして、前記荷重受け面３２がバンパーリインフォース３の後面３ｂと対向するように、荷重受け部３０は車両２の左右のサイドメンバ５の先端にそれぞれ取付けられている。
荷重受け部３０の荷重受け面３２には、筒状部材２０と木材１２の軸方向における後端部側（切り込み２３側）の端面が当接するように構成されている。ここで、荷重受け部３０には、図２に示すように、前記木材１２の端面が当接する位置に複数の貫通ネジ孔３５が形成されており、これらの貫通ネジ孔３５を利用して木材１２は荷重受け部３０にサイドメンバ５側からネジ３７により固定されるようになっている。
さらに、筒状部材２０の軸方向における前端側は、バンパーリインフォース３の後面３ｂに、例えば、溶接により固定されている。
即ち、サイドメンバ５の先端に荷重受け部３０が取付けられ、その荷重受け部３０に木材１２の後端部側がネジ３７止めされ、さらに筒状部材２０の前端側がバンパーリインフォース３の後面３ｂに溶接等されることで、衝撃吸収機構１０は車両２のバンパーリインフォース３と左右のサイドメンバ５との間に設置される。
【００１６】
＜衝撃吸収機構１０の動作について＞
次に、図４〜図１２に基づいて、前記衝撃吸収機構１０の動作について説明する。
車両２が前方衝突をし、バンパーリインフォース３を介して衝撃荷重Ｆが軸方向から衝撃吸収機構１０の木材１２と筒状部材２０とに加わると、図１２（Ａ）に示すように、その衝撃荷重Ｆが許容値Ｈを超えた段階で木材１２と筒状部材２０とが軸方向に潰れるようになる。ここで、図１２（Ａ）は、前記衝撃吸収機構１０の木材１２と筒状部材２０との潰れ量（mm）を横軸、木材１２等に対して軸方向から加わる衝撃荷重Ｆ（Ｎ）を縦軸に表したグラフである。
【００１７】
即ち、許容値Ｈを超える衝撃荷重Ｆにより、図４から図５（図９、図１０）に示すように、荷重受け部３０の荷重受け面３２に接する木材１２の後端部側が軸方向に潰れるとともに、筒状部材２０の後端部側の端面近傍で切り込み２３により分割された壁部２０ｂが半径方向外側に膨らむように変形する（図５参照）。そして、前記木材１２と筒状部材２０との潰れが進行することで、図６に示すように、筒状部材２０の壁部２０ｂの膨らみ部分が潰れ、その潰れ部分が荷重受け面３２に対して鍔状に当接するようになる。即ち、切り込み２３によって相互に分割された筒状部材２０の壁部２０ｂが互いに離れる方向に拡開しようとする。これにより、筒状部材２０の六角形の稜線２３ｒには、切り込み２３を起点としてその稜線２３ｒの部分を裂こうとする力が加わる。
この状態から、木材１２と筒状部材２０との潰れが進行すると、図７、図１０に示すように、筒状部材２０の六角形の稜線２３ｒが切り込み２３を起点として裂けるようになる。さらに、木材１２の潰れた部分１２ｃが荷重受け部３０の荷重受け面３２に沿って半径方向外側に移動し、筒状部材２０を内部から半径方向外側に押圧する。これにより、相互に分割された筒状部材２０の壁部２０ｂが木材１２の潰れた部分１２ｃに押されて、荷重受け部３０の荷重受け面３２に沿って半径方向外側に拡開するようになる。
即ち、筒状部材２０の切り込み２３が本発明の脆弱部に相当する。
【００１８】
そして、木材１２と筒状部材２０との潰れがさらに進行することで、図８、図１１に示すように、筒状部材２０の稜線２３ｒの裂け目が大きくなり、相互に分割された筒状部材２０の壁部２０ｂが荷重受け面３２に沿って半径方向外側に広がることで渦巻き状に巻かれるようになる。さらに、木材１２の潰れた部分１２ｃが荷重受け面３２に沿って筒状部材２０の半径方向外側にはみ出るようになる。
このように、木材１２の潰れた部分１２ｃが筒状部材２０の内部に詰まらなくなるため、衝撃荷重Ｆを受けている途中で筒状部材２０内の木材１２の密度が上昇し難くなる。したがって、木材１２の変形初期と変形中期、変形後期とで前記木材１２がほぼ同じように潰れるようになる。即ち、木材１２の変形中期、変形後期で木材１２が潰れ難くなることがなく、前記木材１２の潰れ領域が広くなる。
このように、本実施形態に係る衝撃吸収機構１０では、図１２（Ａ）に示すように、全長（70mm）の木材１２等が約50mm程度良好に潰れるようになる。これに対し、従来の構成では、図１２（Ｂ）に示すように、木材１２の潰れた部分１２ｃが筒状部材２０内に詰まるため、全長（70mm）の木材１２等が約40mm程度しか潰れない。
このように、本実施形態に係る衝撃吸収機構１０では、従来の構成と比較して、クラッシュストロークが長くなるため衝撃吸収量が大きくなる。
【００１９】
＜本実施形態に係る衝撃吸収機構１０の長所について＞
本実施形態に係る衝撃吸収機構１０によると、筒状部材２０は、衝撃荷重Ｆにより荷重受け面３２に当接する一端面の多角形の頂点部分から多角形の稜線２３ｒに沿って裂けるようになる。また、筒状部材２０の内側で衝撃荷重Ｆにより潰れた木材１２は、荷重受け面３２に沿って半径方向外側に移動しようとする。このため、裂けることで分割された筒状部材２０の複数の壁部２０ｂは潰れた木材１２に押されて半径方向外側に拡開するようになる。したがって、木材１２の潰れが進行すると、潰れた木材１２は荷重受け面３２に沿って筒状部材２０の半径方向に外側にはみ出るようになる。この結果、潰れた木材１２が筒状部材２０内に詰まらなくなり、衝撃荷重Ｆを受けている途中で筒状部材２０内の木材１２の密度が上昇し難くなる。したがって、木材１２の変形初期と変形中期、変形後期とで前記木材１２が同じように潰れるようになる。この結果、従来と比較して、同じ長さ寸法の木材１２で潰れ領域が広くなり、衝撃吸収量が大きくなる。
また、切り込み２３を設けることで筒状部材２０の端面における多角形の頂点部分からその多角形の稜線２３ｒに沿って前記筒状部材２０を裂く構成のため、筒状部材２０を裂くための機構が簡単でさほどコストアップにならない。
【００２０】
＜変更例＞
ここで、本発明は上記実施形態に限定されるものではなく、本発明の要旨を逸脱しない範囲における変更が可能である。例えば、本実施形態では、筒状部材２０の端面における多角形の頂点部分からその多角形の稜線２３ｒに沿って切り込み２３を設ける例を示した。しかし、前記切り込み２３を設ける代わりに、筒状部材２０の端面における多角形の頂点部分からその多角形の稜線２３ｒに沿って薄肉（例えば、約0.4mm）の脆弱部を設けることも可能である。また、筒状部材２０の端面における多角形の頂点部分からその多角形の稜線２３ｒに沿って切り込み２３、あるいは薄肉の脆弱部を設ける代わりに、例えば、荷重受け面３２側に筒状部材２０の端部を多角形の稜線２３ｒに沿って裂くための刃部等を設けることも可能である。
さらに、本実施形態では、サイドメンバ５の先端に荷重受け部３０を取付け、この荷重受け部３０の前面を荷重受け面３２にする例を示した。しかし、荷重受け部３０を省略し、サイドメンバ５の先端面を荷重受け面とすることも可能である。
また、本実施形態では、サイドメンバ５の先端に荷重受け部３０を設け、筒状部材２０の後端側に切り込み２３、あるいは薄肉部を形成する例を示した。しかし、バンパーリインフォース３側に荷重受け部３０を設け、筒状部材２０の前端側に切り込み２３、あるいは薄肉部を設けることも可能である。
また、筒状部材２０と木材１２とを断面六角形に形成する例を示したが、六角形以外の多角形に形成することも可能である。さらに、筒状部材２０にアルミの押出成形品を使用する例を示したが、アルミの引き抜き成形品であっても良いし、アルミ以外の金属であっても良い。
また、本実施形態では、衝撃吸収機構１０をバンパーリインフォース３とサイドメンバ５間のクラッシュボックスの部分に設ける例を示したが、車両のフレームの一部に衝撃吸収機構１０を設けることも可能である。
【符号の説明】
【００２１】
１０・・・・衝撃吸収機構
１２・・・・木材
１２ｋ・・・年輪
１２ｃ・・・潰れた部分
２０・・・・筒状部材
２３・・・・切り込み（脆弱部）
２３ｒ・・・稜線（多角形の稜線）
３２・・・・荷重受け面
Ｆ・・・・・衝撃荷重
【図１】
2015155704.tif 000003
【図２】
2015155704.tif 000004
【図３】
2015155704.tif 000005
【図４】
2015155704.tif 000006
【図５】
2015155704.tif 000007
【図６】
2015155704.tif 000008
【図７】
2015155704.tif 000009
【図８】
2015155704.tif 000010
【図９】
2015155704.tif 000011
【図１０】
2015155704.tif 000012
【図１１】
2015155704.tif 000013
【図１２】
2015155704.tif 000014
【図１３】
2015155704.tif 000015
【図１４】
2015155704.tif 000016